(57)【要約】      （修正有）【課題】ペットボトルの飲用物を飲む際に、ペットボトルの蓋を開けると飲み口が突出するストローを提供する。【解決手段】ペットボトル１の開口部４より底部１ａまでの高さより短いストロー２ａと、このストロー２ａの下端部に連結されたゴム状チューブ２ｂとからなり、このゴム状チューブ２ｂは、ストロー２ａの上端が蓋３によって押し込まれた際に、底部１ａに当接して円弧状に曲げられて弾性力を保有し、蓋３を開けるとゴム状チューブ２ｂが伸び、ストロー２ａの上端を開口部４より飲み口２ｃ分程度を突出させるように構成されている。【選択図】図１
0003153769.tif 000002
【実用新案登録請求の範囲】
【請求項１】
ペットボトルの開口部より底部までの高さより短いストローと、このストローの下端部に連結されたゴム状チューブとからなり、このゴム状チューブは、ストローの上端が蓋によって押し込まれた際に、前記底部に当接して円弧状に曲げられて弾性力を保有し、蓋を開放すると前記ゴム状チューブが伸び、前記ストローの上端を開口部より飲み口分程度を突出させるように構成されていることを特徴とするストロー具。
【請求項２】
前記ゴム状チューブは、シリコンゴムで構成されていることを特徴とする請求項１記載のストロー具。
【請求項３】
前記ゴム状チューブは、ストローの飲み口がペットボトルの開口部より、口で咥えることができる高さに突出できる程度に、それ自体の弾性力によって伸びることができる長さに形成されていることを特徴とする請求項１あるいは２に記載のストロー具。
【請求項４】
飲み口側の第１のストローと、ペットボトルの底部に当接する第２のストローを有し、前記第１のストローと第２のストローとはゴム状チューブによって連結されており、このゴム状チューブは第２のストローが底部に当接した際に屈曲されて前記第２のストローは前記底部に接近させた状態で傾斜し、第１のストローは前記開口部から、前記第２のストローの先端によって押されて第２のストローとは逆方向にＬ形に傾斜してペットボトル内に収容され、蓋が除去されると両ストローの屈曲が開放されて第１のストローの飲み口がペットボトルの開口より飲み口分突出するように構成されていることを特徴とする請求項１ないし３の何れかに記載のストロー具。
【考案の詳細な説明】
【技術分野】
【０００１】
本考案は、しばしば蓋を開閉して飲料水やジュースを飲用するペットボトルに使用する、弾力的に伸縮するストローの改良に関するものである。
【背景技術】
【０００２】
例えば、電車や地下鉄やバスなどの乗り物の中で、ペットボトルをバッグやリュックより出して飲料水やジュースを飲む光景がしばしば見受けられる。通常持参するペットボトルは、５００ｍｌ程度の容量のものが多く使用されているようである。
【０００３】
ペットボトル内の飲料水やジュースを一度に飲むことは殆んどなく、多くの場合、蓋を取っては一口・二口飲み、再び蓋をしてバッグなどに入れ、また暫くの時間をおいて先ほどと同様な方法で飲料水などを飲む人が多い。
【０００４】
飲み始めで飲料水などが十分にペットボトル内に充填されている場合は、そのペットボトルを余り傾けないで飲用できる。しかし、これが半分以下に減少した場合はペットボトルを倒す角度が次第に大きくなり、半分以下になるとペットボトルを横に倒した状態で飲用しなければならない。
【０００５】
前記光景は電車の中などでしばしば見受けられるものであるが、傍から見るとかなり見苦しいものである。その上、隣の席に座っている人がペットボトルを大きく上げた動作をすると、口元から漏れた飲料水やジュースが自分の洋服にかかるではないかと心配し、その動作がしばしば続くと、いらいらする。
【０００６】
これに対して、バッグの中に入れたペットボトルにストローを入れて飲料水などを吸引する場合は、この隣人の飲用にはあまり気にならない。前記のようにペットボトルから直接飲むか、ストローを使うかの飲用方法によって隣の人に与える影響が大きいことから、この問題を解消するためにペットボトルを立てた状態で少量ずつジュースなどを飲用するための「屈曲ストロー」が提案されている（特許文献１）。
【先行技術文献】
【特許文献】
【０００７】
【特許文献１】特開２００２−３６２６３４号公報
【考案の概要】
【考案が解決しようとする課題】
【０００８】
前記特許文献1記載された考案は、中間部の任意の位置に蛇腹による折り曲げ部を設け
た第１のストローの下端部に、別の短い第２のストローを配置し、第１と第２のストローの対向する端部を収縮チューブを介して連結し、この収縮チューブを熱収縮させたストローである。
【０００９】
前記ストローによれば、第２のチューブの下端はペットボトルの底に接触し、収縮チューブの部分で折り曲げられた状態でペットボトルの中に収容することができ、この状態で蓋を閉じることになる。そしてジュースなどを飲用する場合に蓋を開けると、その蓋によって上端を押されてペットボトル内に押し込まれていたストローが、収縮チューブの弾力（復元力）により第２のストローが立ち上がって第１のストローの上端部分（飲み口）がペットボトルの開口部より飛び出すようにしたものである。
【００１０】
しかし、前記考案のストローは蛇腹で飲み口となるストローを曲げ、更に第１と第のストローを連結している収縮チューブを折り曲げて飲み口の高さを低くし、収縮チューブに蓄えられた弾力で、蛇腹より上のストロー部分（飲み口）をペットボトルの開口部より突出させるように構成しているので、このストローをペットボトル内に数回押し込むと突出する長さが少なくなり、開口部より必要とする高さまで突出せず、指で摘んで引き出さなければならないことになる。このようにアイデアとしては新規なものがあるが、欠点が多いために未だに実用化されていない。
【００１１】
本考案は、前記屈曲ストローの有する欠点、つまり、屈曲状態でペットボトル内に押し込まれたストローの伸びが、数回の使用にも拘わらず、飲み口が開口部より飛び出す長さが減少して本来の効果がなくなり、結局、手でそのストローの先を摘んで引き出さなければならないと言う課題を解消することを目的とするものである。
【課題を解決するための手段】
【００１２】
１．ペットボトルの開口部より底部までの高さより短いストローと、このストローの下端部に連結されたゴム状チューブ（弾性チューブ）とからなり、このゴム状チューブは、ストローの上端が蓋によって押し込まれた際に、前記底部に当接して円弧状に曲げられて弾性力を保有し、蓋を開放すると前記ゴム状チューブが伸び、前記ストローの上端を開口部より飲み口分程度を突出させるように構成されていることを特徴としている。
【００１３】
２．前記ゴム状チューブは、シリコンゴムで構成されていることを特徴としている。
【００１４】
３．前記ゴム状チューブは、ストローの飲み口がペットボトルの開口部より、口で咥えることができる高さに突出できる程度に、それ自体の弾性力によって伸びることができる長さに形成されていることを特徴としている。
【００１５】
４．飲み口側の第１のストローと、ペットボトルの底部に当接する第２のストローを有し、前記第１のストローと第２のストローとはゴム状チューブによって連結されており、このゴム状チューブは第２のストローが底部に当接した際に屈曲されて前記第２のストローは前記底部に接近させた状態で傾斜し、第１のストローは前記開口部から、前記第２のストローの先端によって押されて第２のストローとは逆方向にＬ形に傾斜してペットボトル内に収容され、蓋が除去されると両ストローの屈曲が開放されて第１のストローの飲み口がペットボトルの開口より飲み口分突出するように構成されていることを特徴としている。
【考案の効果】
【００１６】
本考案は、ストローの下部にゴム状チューブを連結した構成、あるいは上下２本のストローの間にゴム状チューブを設けた構成である。特にゴム状チューブは、薄肉でも大きな弾性力があり、屈曲状態で放置されても弾性力が劣化しないシリコン製で、かつ、ストローより小径で、その弾性力によってストローの端部に嵌合連結できるチューブを使用したストロー具を構成している。
【００１７】
従って、ジュースや飲料水などのペットボトルの内容物を飲用する際に、前記ストロー具をペットボトル内に挿入し、ストロー具の上端を蓋で止めておく。そして、蓋を取った時には、ペットボトルの開口部より、ストローの飲み口（吸引部）が正確にペットボトルの開口より、十分な長さだけ突出できるように構成されている。
【００１８】
従って、ペットボトルを立てて、その内容物を飲用することがなく、ペットボトルを立てた状態で保持し、人前でも見苦しくない状態で飲用することができるものである。
【００１９】
特に、電車やバスなどの乗り物の中でしばしばペットボトルの内容物を飲用する時、あるいは、病院でベッドに臥っている病人がペットボトルの内容物を少量ずつ飲用する場合などには、蓋によってストローがペットボトル内に押し込まれているので、衛生的にストローを保持でき、ペットボトルの内容物を少量ずつ、飲用することができ、極めて衛生的で、節度を保ちながら飲用することができる。
【図面の簡単な説明】
【００２０】
【図１】ペットボトル内に本考案に係るストロー具を挿入し、蓋をしてストロー具をその内部に確保した状態を示す側断面図である。
【図２】ペットボトルの内容物を飲用する際の説明用断面図である。
【図３】第２の実施例のストロー具の使用状態の説明用断面図である。
【図４】図３のストロー具が伸びた状態を示す説明用断面図である。
【考案を実施するための形態】
【００２１】
（実施例１）
次に図面を参照して本考案にかかる「ストロー具」について説明する。
【００２２】
図１は、飲料水やジュースなどが充填されているペットボトル１を飲用する際の状態を示すもので、ペットボトル１の蓋３を外し、そのペットボトル１内に本考案に係るストロー具２を入れ、開口部４のネジ部に蓋３を螺合して前記ストロー具２をペットボトル内に収容した状態を示すものである。
【００２３】
ストロー具２は、ペットボトル１の高さより短い長さのストロー２ａと、そのストロー２ａの下端に嵌着されたゴム状チューブ２ｂで構成されている。このゴム状チューブ２ｂは薄肉でも弾力性、耐久性があり、成形性に優れ、しかも衛生状態を保持できるシリコンゴム製のものが最適である。なお、天然ゴム製あるいは合成ゴム製のものでも前記特性を持つものであれば代替できることは明らかである。
【００２４】
図２は、ペットボトル１の内容物の飲用状態を示すもので、図１の状態から蓋３をネジの開放方向に回転させて蓋３を除去した状態である。図１の状態では、ストロー具２はペットボトル１内に押し込められ、ゴム状チューブ２ｂがペットボトル１の底部１ａで曲がり、その結果、弾性力を蓄えた状態で収容されている。
【００２５】
ジュースなどを飲用する時に、蓋３を開放すると前記ゴム状チューブ２ｂに蓄えられていた弾性力が解除され、ゴム状チューブ２ｂが伸びてストロー２ａの飲み口２ｃが開口部４より上方に、「高さｈ」分が突出する。
【００２６】
この高さｈは、利用者がストローの飲み口２ｃを唇で挟むのに便利が距離であって、少なくとも１０ｍｍ、好ましくは１５〜２０ｍｍの突出距離を確保できると良い。  
【００２７】
（実施例２）
図３は、第２の実施例に係るもので、本考案を実施する際には、ペットボトル１の開口部４の蓋３を外して通常のようにジュースなどの必要量を飲用した後、ストロー具５をその中に挿入し、再び蓋３をした状態を示している。
【００２８】
図１及び図２に示す第１の実施例においては、長いゴム状チューブ２ｂが必要となる。このゴム状チューブ２ｂがシリコンゴム製の場合は、この部分の価格がストロー具２の全体的なコストに対して占める割合がかなり高いものとなる。そこで、そのコスト低減のためにはシリコンゴムのチューブの使用量を減少させることが必要である。
【００２９】
この第２の実施例は、第１のストロー５ａと第２のストロー５ｂの間を、短いゴム状チ
ューブ５ｅ（弾性チューブ）で連結したストロー具５を示しており、このゴム状チューブ５ｅは短いが、図３に示すように大きく曲げ、そして図４に示すように元の状態に復元できるようにかなりの弾性力を持っている。
【００３０】
図４において、鎖線は図３のストロー具５の状態を示し、実線はストロー具５が伸張して飲み口５ｃが開口部４より立ち上がった所を描いている。
【００３１】
この実施例２においては、図１と図３、４と比較して理解できるように、ゴム状チューブ５ｅの長さを実施例１の場合の数分の一に短縮することができ、ゴム状チューブ５ｅのコストを、その分だけ低下さながら、同様な効果を奏することが可能となる。
【符号の説明】
【００３２】
１  ペットボトル
２  ストロー具
２ａ  ストロー
２ｂ  ゴム状チューブ（弾性チューブ）
２ｃ  飲み口
３  蓋
４  開口部
５  ストロー具
５ａ、５ｂ  ストロー
５ｃ  飲み口
５ｅ  ゴム状チューブ（弾性チューブ）
【図１】
0003153769.tif 000003
【図２】
0003153769.tif 000004
【図３】
0003153769.tif 000005
【図４】
0003153769.tif 000006